(57)【要約】【課題】  コンタクトガラス上に載置された原稿を照射する光源と、該光源で照射された原稿面からの反射光をラインセンサへ結像させ、画像信号を出力させる光学系と、前記光源を載置して前記ラインセンサの読み取り方向である主走査方向と直交する副走査方向に移動する移動体とからなる画像読み取り装置において、コンタクトガラス面を汚したり傷つけたりすることなく、フレアー光の低減を実現することが課題である。【解決手段】  光源を覆うと共に主走査方向に設けられて前記ラインセンサに原稿からの反射光を送る細隙を形成する遮光部材と、コンタクトガラス遮光部材側における前記ラインセンサの原稿読み取り範囲外に、一側端を前記遮光部材端部側領域にかかって主走査方向と直交する副走査方向に貼り付けられ、前記遮光部材が当接した際に摺動可能な部材で構成した被摺動部材とを設けた。【選択図】  図１
2006184585.tif 000002
【特許請求の範囲】
【請求項１】
コンタクトガラス上に載置された原稿を照射する光源と、該光源で照射された原稿面からの反射光をラインセンサへ結像させ、画像信号を出力させる光学系と、前記光源を載置して前記ラインセンサの読み取り方向である主走査方向と直交する副走査方向に移動する移動体とからなる画像読み取り装置において、
前記光源を覆うと共に、主走査方向に設けられて前記ラインセンサに原稿からの反射光の通過を許容する細隙を形成する遮光部材と、前記コンタクトガラス遮光部材側における前記ラインセンサの原稿読み取り範囲外に、一側端を前記遮光部材端部側領域にかかって主走査方向と直交する副走査方向に貼り付けられ、前記遮光部材が当接した際に摺動可能な被摺動部材とを有することを特徴とする画像読み取り装置。
【請求項２】
前記遮光部材は、前記移動体上にコンタクトガラスと微小間隙を有するよう載置されていることを特徴とする請求項１に記載した画像読み取り装置。
【請求項３】
前記遮光部材は、前記移動体に設けられた弾性部材で前記コンタクトガラス側に押圧され、前記被摺動部材に接触しながらに副走査方向に移動するよう構成されていることを特徴とする請求項１に記載した画像読み取り装置。
【請求項４】
前記被摺動部材は弾性部材で構成されていることを特徴とする請求項１乃至３のいずれかに記載した画像読み取り装置。
【発明の詳細な説明】
【技術分野】
【０００１】
本発明は、複写機やファクシミリなどにおける原稿読取装置に関し、特に、原稿を照明する光源と、該光源で照明された原稿をレンズによってＣＣＤ等を用いたラインセンサなどに結像させ、読み取るよう構成した画像読み取り装置に関するものである。
【背景技術】
【０００２】
複写機やファクシミリなどにおける読取装置に用いられる原稿を読み取るための光学系としては、例えば原稿を載置するコンタクトガラスの下に、原稿を照明する光源と原稿画像からの反射光を送るための反射ミラー等を設けて移動可能に構成した第１の移動体と、該第１の移動体上の反射ミラーから送られる原稿画像の反射光を反射し、レンズを介してＣＣＤ等を用いたラインセンサなどに結像させるための複数の反射ミラーを有し、原稿からレンズまでの光路長を一定にするよう、第１の移動体の移動方向に半分の速度で移動できるようにした第２の移動体とを設けて構成されたものや、コンタクトガラスの直下にセルフォクレンズやＣＣＤ等を用いたラインセンサなどを配して読み取るようにしたものなどがある。
【０００３】
そして、コンタクトガラス面上に載置された原稿を照明する光源は、省電力、省スペース化のために希ガス蛍光ランプが用いられるようになっており、高画質化のためには、原稿反射率に忠実な読取が行えるようにしないと画像劣化が発生する。
【０００４】
特にこういった読み取り装置では、白地領域が黒地部に囲まれると画像読み取り用のＣＣＤ出力が低くなるという傾向があり、逆に黒地領域の周りに白地部があると、ＣＣＤ出力が高くなるということが起こる。これは原稿に近い部分での乱反射の影響であり、一般的にフレアー光と呼ばれて、黒地部の周りの白地部にかぶりが生じたり、細線がとぎれるという問題を起こすことがあった。
【０００５】
こういった問題に対処するため従来では、原稿照明用光源と原稿載置用コンタクトガラスの間の遮光板をある程度コンタクトガラスに近づけ、フレアー光が低減されるようにしていた。また特許文献１には、露光ランプとコンタクトガラスとの間に、先端の屈曲部をコンタクトガラスに接触させた弾性遮光部材を、主走査方向にスリット状の開口部が形成されるよう副走査方向に移動するキャリッジに設け、光源がコンタクトガラスに近づくことで光量アップして省電力化を図ることができると共に、フレアー光の影響を抑えて黒ベタ間の地肌汚れや線切れ、そして中間調の劣化を抑えるようにし、かつ、弾性遮光部材（遮光板）をコンタクトガラスと接触させても、コンタクトガラスに傷が発生するのを防止した画像読み取り装置が開示されている。
【０００６】
また特許文献２には、フレアー光を防止するためのものではないが、密着型イメージセンサを用い、ＡＤＦ（原稿自動送り装置）により流れていく原稿を一定位置に位置させたイメージセンサで読み取る流し読みと、コンタクトガラス上に載せた原稿をイメージセンサを移動させながら読み取るブック読みの両方を行えるようにした読み取り装置において、イメージセンサの両端の非画像読み取り領域にコンタクトガラスに接触するスペーサを設け、このスペーサをコンタクトガラス方向に付勢してイメージセンサがコンタクトガラスと一定距離を持ちながら移動できるようにした画像読み取り装置が開示されている。
【０００７】
【特許文献１】特開２００４−１５７１７４号公報
【特許文献２】特開２００３−２８３７６７号公報
【発明の開示】
【発明が解決しようとする課題】
【０００８】
しかしながら、遮光板をコンタクトガラスに近づけただけではフレアー光を防止することはできず、また、遮光板がコンタクトガラスに接触するとコンタクトガラスに傷を付けたりする。さらに特許文献１に示された技術では、主走査方向全面にわたって弾性遮光部材がコンタクトガラス面に接触しているため、コンタクトガラスとの摩擦による静電気によって埃が付着しやすく、また、弾性遮光部材とコンタクトガラス面との間に埃が入り込むと、コンタクトガラス面の汚れとなると共に画像劣化を発生させてしまうという弊害がある。
【０００９】
また、特許文献２に示された技術はフレアー光を防止するためのものではなく、密着型イメージセンサとコンタクトガラス間の距離を常時一定に保つことが目的であるため、密着型イメージセンサとコンタクトガラス間は遮光が考慮されておらず、フレアー光の低減は期待できない。
【００１０】
そのため本発明においては、コンタクトガラス面を汚したり傷つけたりすることなく、フレアー光の低減を実現した画像読み取り装置を提供することが課題である。
【課題を解決するための手段】
【００１１】
上記課題を解決するため本発明における画像読み取り装置は、
コンタクトガラス上に載置された原稿を照射する光源と、該光源で照射された原稿面からの反射光をラインセンサへ結像させ、画像信号を出力させる光学系と、前記光源を載置して前記ラインセンサの読み取り方向である主走査方向と直交する副走査方向に移動する移動体とからなる画像読み取り装置において、
前記光源を覆うと共に、主走査方向に設けられて前記ラインセンサに原稿からの反射光の通過を許容する細隙を形成する遮光部材と、前記コンタクトガラス遮光部材側における前記ラインセンサの原稿読み取り範囲外に、一側端を前記遮光部材端部側領域にかかって主走査方向と直交する副走査方向に貼り付けられ、前記遮光部材が当接した際に摺動可能な被摺動部材とを有することを特徴とする。
【００１２】
このように、光源を覆い、ラインセンサに原稿からの反射光を送る細隙を形成する遮光部材と、コンタクトガラスにおけるラインセンサの原稿読み取り範囲外に、一側端を前記遮光部材端部側領域にかかって副走査方向に貼り付けられた被摺動部材とを設けたことで、遮光部材は被摺動部材に接触してもコンタクトガラスに接触することが無いから、静電気の発生による塵がコンタクトガラスに付着するといったこともなく、また、ラインセンサの原稿読み取り範囲外には被摺動部材が存在して吸光するから、側部からラインセンサに光が入ることがなくなってフレアー光を低減することができ、良好な画像データを出力できる画像読み取り装置を提供することができる。
【００１３】
そして前記遮光部材は、前記移動体上にコンタクトガラスと微小間隙を有することが本発明の好適な実施例である。
【００１４】
また、前記遮光部材は、前記移動体に設けられた弾性部材で前記コンタクトガラス側に押圧され、前記被摺動部材に接触しながらに副走査方向に移動するよう構成することで、遮光部材とコンタクトガラス間は常に一定の距離が保たれ、かつ、フレアー光も低減できて良好な画像データを出力できる画像読み取り装置を提供することができる。
【００１５】
さらに、前記被摺動部材を弾性部材で構成することで、何らかの理由で遮光部材が接触しても衝撃が和らげられ、原稿画像の読み取りに影響を与えることが無くなるから、良好な画像データを出力できる画像読み取り装置を提供することができる。
【発明の効果】
【００１６】
以上記載のごとく本発明によれば、コンタクトガラス面を汚したり傷つけたりすることなくフレアー光の低減を実現し、良好な画像データを出力できる画像読み取り装置を提供することができる。
【発明を実施するための最良の形態】
【００１７】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００１８】
図１は本発明になる画像読み取り装置の実施例１を、イメージセンサの読み取り方向（主走査方向）に対して直角な方向（副走査方向）から見た側面図、図２は図１におけるＢ−Ｂ断面の詳細図、図３は本発明になる画像読み取り装置の実施例２を副走査方向から見た側面図、図４は図３にＣで示した○を付した部分の詳細図で、遮光部材２、３をコンタクトガラス１側に押圧する構造の説明図、図５は図４に示した遮光部材をコンタクトガラス側に押圧する構造の詳細図を、Ｄで示した方向から見た図、図６は本発明になる画像読み取り装置全体の構成図である。
【００１９】
最初に本発明になる画像読み取り装置の一例の全体構成を図６に従って説明すると、１はコンタクトガラスであり、複写したり送信したりする原稿が載置され、その下には、原稿を照明する棒状の光源４としてハロゲンランプやキセノンランプなどの希ガス蛍光ランプや、この光源４の照明効率を上昇させるための反射板６、照明された原稿画像を送るための反射ミラー５などを載置し、副走査方向に移動可能に構成した第１キャリッジ１４が設けられている。
【００２０】
また、この第１キャリッジ１４における反射ミラー５からの原稿画像は、反射ミラー２０と２１を介してレンズ２２でＣＣＤ等を用いたラインセンサ２３に結像されるが、原稿からレンズ２２までの光路長を一定とするため、これら反射ミラー２０と２１は第２キャリッジ１５に載置され、第１キャリッジ１４の半分の速度で同方向に移動してゆくよう構成されている。
【００２１】
ＣＣＤ等を用いたラインセンサ２３は複数のＣＣＤが一方向に配列されて構成され、コンタクトガラス１上に載置された原稿は、読み取り指示によって光源４が点灯されることでその光と反射板６で反射された光で照射され、この原稿の端から逆側の端まで第１キャリッジ１４が走行すると共に、第２キャリッジ１５が上記したように第１キャリッジ１４の半分の速度で同方向に移動することで、反射ミラー５、２０、２１とレンズ２２を介し、ラインセンサ２３上に結像されて読み取りがおこなわれる。
【実施例１】
【００２２】
そして、図１に本発明になる画像読み取り装置の実施例１における第１キャリッジ１４を、図６にＡに示した方向から見た側面図を、図２に図１におけるＢ−Ｂ断面の詳細図を示したように、光原４の周囲には遮光部材３が、反射板６側には同じく遮光部材２が支持部材８、８’に固定されて設けられている。そしてこれら遮光部材２、３は、内面を反射面とした剛性部材で構成され、コンタクトガラス１側は、副走査方向にＸで示した距離が約３ｍｍ程度となるようその縁が平行に隔てられて原稿読み取りのための細隙が形成され、さらに、この遮光部材２、３のコンタクトガラス１側とコンタクトガラス１における遮光部材２、３側との距離Ｙが、約０．４ｍｍ程度となるようクリアランスが設けられている。
【００２３】
また、支持部材８、８’は、画像読み取り装置本体の筐体９、９’に設けられた本体レール１０、１０’の上を、樹脂などで半球状などに形成したスライド部材１３、１３’を介し、図示していない駆動機構によって副走査方向に移動できるようにされている。
【００２４】
そして、コンタクトガラス１の裏面（遮光部材２、３側）におけるラインセンサ２３が原稿を読み取ることのできる有効画像領域１６外の両側には、副走査方向に、外部からの光が有効画像領域１６に入ってフレアー光となるのを防ぐと共に、遮光部材２、３が何らかの衝撃で上下し、コンタクトガラス１に当たることを防止するため、黒色で、かつ、遮光部材２、３が当接しても摺動可能なように、厚さが約０．１から０．２ｍｍ程度で吸光のために黒色に着色されたＰＥＴフィルムや、フッ素、ＰＴＦＥ、テフロンなどのテープを用いた被摺動部材部材７、７’が貼り付けられ、遮光部材２、３とコンタクトガラス１とのクリアランスが保たれるようになっている。
【００２５】
そのため、遮光部材２と遮光部材３におけるコンタクトガラス１近傍の細隙は、前記したようにその隙間Ｘが約３ｍｍ程度に設定されているため、有効画像領域１６内においてコンタクトガラス１との間隔を極めて小さくすることができ、フレアー光の軽減が可能であると共に、画像領域１６外のコンタクトガラス１に被摺動部材７、７’が貼り付けてあるため、遮光部材２及び３は何らかの衝撃で上下しても先にこの被摺動部材７、７’に接触し、有効画像領域１６内ではコンタクトガラス１に接触しないため、コンタクトガラス１を傷つけたり、コンタクトガラス１との摩擦によって静電気が発生して埃が付着し、コンタクトガラス１が汚されて画像劣化を発生させてしまう、ということが防止でき、良好な画像を得ることができる。
【実施例２】
【００２６】
図３から図５に示した本発明になる画像読み取り装置の実施例２では、前記図１、図２に示した実施例１と同様、光原４の周囲には遮光部材３が、反射板６側には同じく遮光部材２が支持部材８、８’に固定されて設けられている。そしてこれら遮光部材２、３は、内面を反射面とした剛性部材で構成され、コンタクトガラス１側は、副走査方向にＸで示した距離が約３ｍｍ程度となるようその縁が平行に隔てられて原稿読み取りのための細隙が形成されている。
【００２７】
また、支持部材８、８’は、画像読み取り装置本体の筐体９、９’に設けられた本体レール１０、１０’の上を、スライド部材１３、１３’を介して図示していない駆動機構によって副走査方向に移動できるようにされている。
【００２８】
そして、コンタクトガラス１の裏面（遮光部材２、３側）におけるラインセンサ２３が原稿を読み取ることのできる有効画像領域１６外の両側には、副走査方向に、外部からの光が有効画像領域１６に入ってフレアー光となるのを防ぐため、黒色で、かつ、厚さが約０．１から０．２ｍｍ程度で黒色のＰＥＴフィルムや、フッ素、ＰＴＦＥ、テフロンなどのテープで摺動性が良くなるようにした被摺動部材７、７’が貼り付けられている。
【００２９】
また、遮光部材２、３の支持部材は、８、８’と１１、１１’の二重構造となっていて、遮光部材２及び３が支持部材１１、１１’に固定され、さらにこの支持部材１１、１１’からの突起部１１ａ、１１ａ’が支持部材８、８’に設けた穴１７、１７’（図５参照）を通り、支持部材１１、１１’を上方向に軽い力で押圧する引っ張りバネ１２が設けられており、遮光部材２及び３の両端部が、コンタクトガラス１における裏面に貼り付けた被摺動部材７、７’に軽い力で押圧、接触するようにされている。
【００３０】
そのため、遮光部材２と遮光部材３におけるコンタクトガラス１近傍の細隙は、前記したようにその隙間Ｘが約３ｍｍ程度に設定されており、また、画像領域１６外のコンタクトガラス１に被摺動部材７、７’が貼り付けてあるため、遮光部材２、３におけるコンタクトガラス１との有効画像領域１６内における間隔を極めて小さく一定に保つことができ、フレアー光の軽減が可能であると共に、遮光部材２及び３は有効画像領域１６内ではコンタクトガラス１に接触しないため、コンタクトガラス１を傷つけたり、コンタクトガラス１との摩擦によって静電気が発生して埃が付着し、コンタクトガラス１が汚されて画像劣化を発生させてしまう、ということが防止でき、良好な画像を得ることができる。
【００３１】
なお、この被摺動部材７、７’を弾性部材で構成すると、何らかの理由で遮光部材２、３が接触しても衝撃が和らげられ、原稿画像の読み取りに影響を与えることが無くなるから、良好な画像データを出力できる画像読み取り装置を提供することができる。
【００３２】
また、実施例１における支持部材８、８’（図１、図２）や実施例２における支持部材１１、１１’におけるコンタクトガラス１側を、遮光部材２、３よりわずかにコンタクトガラス１側に突出させ、この支持部材８、８’や支持部材１１、１１’が遮光部材２、３より先に被摺動部材７、７’と接触させるよう構成しても、同様の効果を得ることができる。
【００３３】
なお、以上の説明では、原稿からの反射光をラインセンサ２３に送るため、反射ミラー５、２０、２１などを用いて構成した場合を例に説明してきたが、前記したコンタクトガラス１の直下にセルフォクレンズなどを介してＣＣＤ等を用いたラインセンサに反射光を送るように構成した画像読み取り装置にも適用できることは明らかである。
【００３４】
以上種々述べてきたように本発明によれば、光源を覆い、ラインセンサに原稿からの反射光を送る細隙を形成する遮光部材と、コンタクトガラスにおけるラインセンサの原稿読み取り範囲外に、一側端を前記遮光部材端部側領域にかかって副走査方向に貼り付けられた被摺動部材とを設けたことで、遮光部材は被摺動部材に接触してもコンタクトガラスに接触することが無いから、静電気の発生による塵がコンタクトガラスに付着するといったこともなく、また、ラインセンサの原稿読み取り範囲外には吸光機能を備えた吸光機能を有する被摺動部材が存在するから、側部からラインセンサに光が入ることがなくなってフレアー光を低減することができ、良好な画像データを出力できる画像読み取り装置を提供することができる。
【産業上の利用可能性】
【００３５】
本発明によれば、フレアー光を低減して良好な画像データを出力できる画像読み取り装置を提供することができ、大きな効果をもたらすものである。
【図面の簡単な説明】
【００３６】
【図１】本発明になる画像読み取り装置の実施例１を、イメージセンサの読み取り方向（主走査方向）に対して直角な方向（副走査方向）から見た側面図である。
【図２】図１におけるＢ−Ｂ断面の詳細図である。
【図３】本発明になる画像読み取り装置の実施例２を副走査方向から見た側面図である。
【図４】図３にＣで示した○を付した部分の詳細図で、遮光部材２、３をコンタクトガラス１側に押圧する構造の説明図である。
【図５】図４に示した遮光部材をコンタクトガラス側に押圧する構造の詳細図を、Ｄで示した方向から見た図である。
【図６】本発明になる画像読み取り装置全体の構成図である。
【符号の説明】
【００３７】
１  コンタクトガラス
２、３  遮光部材
４  光源
５  反射ミラー
６  反射板
７、７’  被摺動部材
８、８’  支持部材
９、９’  画像読み取り装置本体の筐体
１０、１０’  本体レール
１１、１１’  支持部材
１１ａ、１１ａ’  突起部
１２  引っ張りバネ
１３  スライド部材
１４  第１キャリッジ
１５  第２キャリッジ
１６  有効画像領域
１７、１７’  穴
２０、２１  反射ミラー
２２  レンズ
２３  ラインセンサ
【図１】
2006184585.tif 000003
【図２】
2006184585.tif 000004
【図３】
2006184585.tif 000005
【図４】
2006184585.tif 000006
【図５】
2006184585.tif 000007
【図６】
2006184585.tif 000008